(57)【特許請求の範囲】
【請求項１】
油圧、気圧等の動力源によりカッターを駆動して煙突を破壊する煙突破壊装置を前記煙突の破壊位置にガイドし位置決めする煙突破壊装置のガイドにおいて、
前記煙突破壊装置の外側面のうちの相互に対向する側面にそれぞれ取り付けられる対構造の基板部と、
前記対構造の基板部のそれぞれに固定されて前記煙突を内側面及び外側面から挟み込む位置決め部材と、
前記位置決め部材間の間隔を任意に設定するとともに設定された間隔を保持する間隔調整部材と、
前記対構造の基板部の片方同士を前記側面とは異なる側面で固定する連結部材と、を備え、
前記煙突破壊装置の外側面への前記対構造の基板部の取り付けを、前記基板部に設けた長孔と取り付けネジとにより所望位置に位置合わせ可能としたことを特徴とする煙突破壊装置のガイド。
【発明の詳細な説明】
【技術分野】
【０００１】
本発明は、煙突を上端部からカッターにより挟み込んで破壊する際に用いて好適な煙突破壊装置のガイドに関するものである。
【背景技術】
【０００２】
工場のスクラップ・アンド・ビルドを行う場合などにおいて、煙突を破壊しなければならないことがある。このような場合、従来は図７に示すような煙突破壊装置７１を用いて煙突を破壊している。
ここで煙突破壊装置７１は、クレーン等に上下及び横方向に移動自在に、また捩じり操作をもできるように取り付けられていて、煙突破壊を行う場合、想像線で示したように煙突７２の上端に位置決めされ、次いで一対のカッター７３ａ，７３ｂを駆動して煙突７２を破壊するものである。
【０００３】
即ち、煙突破壊装置７１は、図示していないクレーン等に取り付けるための連結部７４の下部に機体７５を一体に設け、その内部に前記カッター７３ａ，７３ｂを駆動するための例えば油圧シリンダー７６ａ，７６ｂ等を配設したものである。機体７５には一対の固定軸７７ａ，７７ｂが固定され、各固定軸７７ａ，７７ｂには油圧シリンダー７６ａ，７６ｂの一端が回動自在に取り付けられ、その他端に伸縮自在に設けられたシリンダーロッド７８ａ，７８ｂはカッター７３ａ，７３ｂの一端に連結されている。
【０００４】
機体７５には一対の固定軸７９ａ，７９ｂが固定され、各固定軸７９ａ，７９ｂに一対のカッター７３ａ、７３ｂの一端が回動自在に取り付けられている。そして、シリンダーロッド７８ａ，７８ｂが矢印Ａ方向に駆動したとき実線で示したようにカッター７３ａ，７３ｂを閉じ、矢印Ｂ方向に駆動されたとき想像線で示す如く開くように構成されている。
前記のようなカッター７３ａ，７３ｂの開閉操作は、パイプ８１を介して供給される油圧制御により行われるものであり、機体７５及び前記各種部材はカバー８２によって覆われている。
【０００５】
前記煙突破壊装置７１により煙突７２を破壊する場合、クレーン等よって煙突破壊装置７１を煙突７２の上端の破壊位置に運び、パイプ８１を介して油圧シリンダー７６ａ，７６ｂに油圧を掛け、シリンダーロッド７８ａ，７８ｂを矢印Ｂ方向に駆動し、一対のカッター７３ａ，７３ｂを想像線で示したように開く。
そして、一対のカッターを煙突７２の破壊位置である上端縁部を跨ぐように位置決めし、この状態で再度油圧制御を行ってシリンダーロッド７８ａ，７８ｂを矢印Ａ方向に駆動し、カッターを煙突７２に食い込ませて破壊する。破壊により生じたコンクリートの固まり等は、煙突７２の内部や外部に落下する。
以上のようにして、一箇所の破壊が終了すると、一対のカッター７３ａ，７３ｂを再度開き、煙突破壊装置７１全体を横方向にずらし、隣接する位置で前記破壊動作を繰り返していく。
【発明の開示】
【発明が解決しようとする課題】
【０００６】
煙突破壊を行う場合、油圧制御を行うオペレータは地上で遠隔操作を行う。従って、煙突７２が例えば２０ｍ〜３０ｍもある高さの場合は、破壊位置の情況を近くで目視することができない。このため、前記位置合わせ作業について半ば感を働かせながら行うことになり、位置決め作業に手間が掛かっていた。また、破壊作業の進捗情況も近くで確認することができず、確実な破壊作業が困難であった。
更に、或る位置の破壊作業が終了すると、煙突破壊装置７１を横にずらして隣接する位置の破壊を行うのであるが、煙突破壊装置７１が少し浮いただけでも一対のカッター７３ａ，７３ｂが煙突７２から上端から外れてしまい、このような場合には、位置合わせ作業をやり直す必要があり、作業効率が悪かった。
【０００７】
本発明は、前記問題点に鑑みてなされたものであり、その目的は、煙突破壊に際し、破壊位置への煙突破壊装置の位置決めを容易に行うことが出できるうえに、破壊作業を確実に行い得る煙突破壊装置のガイドを提供することである。
【課題を解決するための手段】
【０００８】
本発明の目的は、下記構成により達成される。
油圧、気圧等の動力源によりカッターを駆動して煙突を破壊する煙突破壊装置を前記煙突の破壊位置にガイドし位置決めする煙突破壊装置のガイドにおいて、前記煙突破壊装置の外側面のうちの相互に対向する側面にそれぞれ取り付けられる対構造の基板部と、前記対構造の基板部のそれぞれに固定されて前記煙突を内側面及び外側面から挟み込む位置決め部材と、前記位置決め部材間の間隔を任意に設定するとともに設定された間隔を保持する間隔調整部材と、前記対構造の基板部の片方同士を前記側面とは異なる側面で固定する連結部材と、を備え、前記煙突破壊装置の外側面への前記対構造の基板部の取り付けを、前記基板部に設けた長孔と取り付けネジとにより所望位置に位置合わせ可能としたことを特徴とする煙突破壊装置のガイド（請求項１）。
【０００９】
上記煙突破壊装置のガイドによれば、煙突破壊装置の外側面のうちの相互に対向する側面のそれぞれに、煙突の破壊位置を内側面及び外側面から挟み込むように、換言すれば煙突の縁部を跨ぐ棒状の位置決め部材を設けた対構造の基板部が取り付けられる。従って、煙突破壊に先立って、前記位置決め部材を煙突の破壊位置に跨がせれば、その位置に煙突破壊装置が案内され、且つその位置に位置決めされるので、破壊作業を効率よく行うことができる。
しかも、前記位置決め部材は、その間隔を間隔調整部材により任意に設定できるので、煙突の厚みに合わせて変更することができる上に強度を向上させることができる。
【００１１】
上記煙突破壊装置のガイドによれば、煙突破壊装置の両側に基板部を取り付け、煙突破壊装置の両側に前記位置決め部材が配設される。従って、煙突破壊装置は両側から位置決めされることになり、前記煙突破壊装置のガイド及び位置決め作用がより一層確実に行われることになる。
しかも、前記位置決め部材を固定した基板部の端部は、連結部材により連結固定されるので、全体として枠型になりガイド全体の強度が向上する。
また、所定位置の破壊終了後は、そのままガイドを横にずらすだけで次の破壊位置にガイドすることができる。
【００１３】
上記煙突破壊装置のガイドによれば、前記基板部に設けた前記長孔の長さ分に応じて煙突破壊装置への取り付け位置を変更することができ、大きさの異なる煙突破壊装置への対応が容易になる。また、前記位置決め部材間の間隔調整をも行い得るので、破壊位置の厚さに対応することができ、ガイドの汎用性、使用方法の向上を図ることができる。
【発明の効果】
【００１４】
以上に説明したように、本発明によれば、煙突破壊に先立ってガイドに設けた位置決め部材を煙突の破壊位置に跨らせることにより、煙突破壊装置を破壊位置に確実かつ容易に位置決めすることができる。そして、位置決めに続いて破壊作業に移行できるので、煙突破壊装置の位置決め、破壊作業を一連の作業として効率よく、且つ確実に行うことができる。
また、位置決め部材の間隔は、対構造の基板部の取り付け位置の調整、調整部材により任意に変更できるので、破壊対象となる煙突の厚さの如何に関わらず、前記位置決め、破壊作業を行うことができ、ガイドの汎用性、使用方法の向上を図ることができる。
【発明を実施するための最良の形態】
【００１５】
以下、本発明に係る実施形態を図面に基づいて詳細に説明する。図１は本発明の一実施形態である煙突破壊装置のガイドの全体構成を示す斜視図、図２は煙突破壊装置のガイドの要部構成を示す側面図、図３は煙突破壊装置のガイドの要部構成を示す他の側面図、図４は煙突破壊装置のガイドの構成及び作用を示す要部の平面図である。
【００１６】
先ず、図1 〜図４を参照して本実施形態における煙突破壊装置のガイド１(以下、単にガイドと略称する)の構成を説明する。なお、ガイド１は煙突破壊装置に着脱自在に取り付けられるものであり、煙突破壊装置としては、従来例で参照したものを適宜援用する。また、本実施形態において、ガイド１は煙突破壊装置の両側面に対称的に取り付けられるものであるから、両側面の構成については共通の符号を付して説明する。
【００１７】
ガイド１は、煙突破壊装置７１の両側面に取り付けられる対構造の基板部２ａ，２ｂと、各基板部２ａ，２ｂの側面に縦方向に固定された棒状の位置決め部材３ａ，３ｂと、前記位置決め部材３ａ，３ｂ間の間隔Ｇを任意に設定し得るとともに設定した間隔Ｇを安定に保持する調整部材４とを備えている。なお、調整部材４は、１本のボルト５と複数のナット６とにより構成されている。
【００１８】
また、各基板部２ａ，２ｂの上端部には、横方向に長手状の長孔７ａ，７ｂが形成されている。各長孔７ａ，７ｂは、各基板部２ａ，２ｂを煙突破壊装置７１に、より具体的には従来例で説明した機体７５の両側面にネジ止めする際に、横方向の位置合わせを行うためのものである。この位置合わせと前記調整部材４とにより、間隔Ｇが設定され且つ保持される。間隔Ｇは、煙突の破壊位置の厚みｔに対応して設定されるので、長孔７ａ，７ｂ及び調整部材４の間隔設定、間隔保持作用は重要である。
【００１９】
各基板部２ａ，２ｂの横方向の両端部にも長孔８ａ，８ｂが形成されているが、これらは表裏の関係にある各基板部２ａ，２ｂ同士を連結部材９ａ，９ｂを介して一体に連結するためのものであり、連結はネジ１０ａ，１０ｂの締め付けにより行われる。この構成により、ガイド１は全体として枠型になり、強度が向上する。従って、煙突破壊時に大きな力がかかっても容易に変形せず、煙突破壊を確実に行い得るようになる。各基板部２ａ，２ｂの側面には板状の補強部材１１ａ，１１ｂが設けられ、各基板部２ａ，２ｂ及び各位置決め部材３ａ，３ｂに溶接されている。この構成により、煙突破壊時における各基板部２ａ，２ｂの変形を防止でき、ガイド１全体の強度向上を図ることができる。
【００２０】
前記ガイド１は、図２〜図4に示すように前記煙突破壊装置７１に取り付けられる。前記煙突破壊装置７１を構成する機体７５の両側には、図３及び図４に示すようにボス１２ａ,１２ｂが設けられ、その頂部には図示しないネジ孔が形成されている。このボス１２ａ，１２ｂに各基板部２ａ，２ｂに形成した長孔７ａ，７ｂを当て付け、ネジ１３ａ，１３ｂを締め付ける。
但し、締め付け固定に先立って位置決め部材３ａ，３ｂの間の間隔Ｇが、破壊対象となる煙突７２の厚みｔ以上になるように寸法設定する必要がある。この寸法設定や固定方法には種々あるが、以下にその一例を説明する。
【００２１】
即ち、煙突破壊に際しては、各図に示すように位置決め部材３ａ，３ｂ間の隙間Ｇに煙突７２の上端部が入り込むように、換言すれば位置決め部材３ａ，３ｂが煙突７２の上端部を跨ぐようにする。このため、図４に示すように煙突７２の内径（直径）が例えば１５００ｍｍ、厚みｔが例えば１００ｍｍであれば、２対の位置決め部材３ａ，３ｂは幅Ｗを介して煙突７２の上端（円弧状部分）を斜めに跨ぐことになり、間隔Ｇは１００ｍｍ以上に設定する必要がある。
【００２２】
この寸法は現物合わせでもよく、予め概算で計算しておいてもよい。何れにしても、決定された間隔Ｇに合わせるべく、長孔７ａ，７ｂを利用して各基板部２ａ，２ｂを左右に移動させて位置決め部材３ａ，３ｂ間が間隔Ｇ以上になるように寸法合わせを行い、ネジ１３ａ，１３ｂにより仮止めする。次いで調整部材４を構成するボルト５，ナット６により位置決め部材３ａ，３ｂ間の寸法を間隔Ｇ以上に合わせ、ナット６を締め付けて固定する。この状態で位置決め部材３ａ，３ｂ間の寸法が変動することはなく、次にネジ１３ａ，１３ｂを締め付けることにより、位置決め部材３ａ，３ｂ間を一定の寸法に保持したまま、基板部２ａ，２ｂと一体に煙突破壊装置７１に固定される。
そして、前記連結部材９ａ，９ｂにより各基板部２ａ，２ｂが連結され、全体として枠型のガイド１が煙突破壊装置７１に一体化される。
【００２３】
次に、前記ガイド１の使用形態を説明する。
前記のように、煙突破壊装置７１にガイド１を取り付けた後、クレーンにより煙突７２の破壊位置の上方に吊り上げ、図２〜図４に示したように煙突７２の上端部に位置決め部材３ａ，３ｂを跨がせる。このとき４本の位置決め部材（３ａ、３ｂ）のうち少なくとも２〜３個ないしは全部が煙突と接触して、カッターによる切断作用の反力支点となり、かつカッターの煙突からの滑り止め効果を発揮する。この結果、図２に示すように、カッター７３ａ，７３ｂが煙突７２の破壊位置を両側、即ち煙突７２の外側と内側から挟むようになる。この状態で前記同様にカッター７３ａ，７３ｂを駆動することにより、カッター７３ａ，７３ｂが煙突７２に食い込み、煙突破壊が行われる。
そして、所定位置の破壊に続いて隣接位置を破壊する場合は、クレーンを操作して位置決め部材３ａ，３ｂが煙突７２を跨いだままで横方向にずらせるようにする。この結果、煙突破壊装置７１とガイド１とが一体に移動し、移動を停止した次の所定位置に煙突破壊装置７１が位置決めされ、直ちに次の破壊作業を継続することができる。従って、本発明のガイド１を適用することにより、煙突破壊装置７１の位置決め、煙突破壊作業を効率よく行うことができる。
【００２４】
以上に本発明の実施形態を説明したが、本発明は前記に限定されるものではなく、種々の変形が可能である。
例えば、一対の位置決め部材３ａ，３ｂの長さを変更し得るように構成してもよい。即ち、図５で基板部２ａについて例示したように、基板部２ａの位置決め部材３ａの取り付け位置に、縦方向に長い長孔１５ａ，１５ｂを形成し、ネジ１６ａ，１６ｂによって締め付け固定する。この構成によれば、実線或いは想像線で示すように破壊位置の情況に応じて位置決め部材３ａの長さ調整を行い得る。
【００２５】
更に、連結部材９ａ，９ｂについても、寸法調整可能な構成にすることができる。即ち、図６に例示するように、連結部材９ａをＬ字状に形成した２枚の板材１７ａ，１７ｂにより構成し、板材１７ａにネジ孔１８を形成するとともに、板材１７ｂに長孔１９を形成する。そして、ネジ孔１８と長孔１９を合わせ、煙突破壊装置の寸法に合う位置でネジ２１により板材１７ａ，１７ｂを締め付け固定する。
この構成によれば、前記長孔７ａ，７ｂ，８ａ，８ｂの寸法調整作用と相俟って、外形寸法の異なる煙突破壊装置に取り付けることができ、ガイド１の汎用性が向上し、使用方法がよくなる。
また、位置決め部材３ａ，３ｂについては、煙突７２との接触面を角型から円弧面に変えてもよい。
なお、煙突破壊装置７１へのガイド１の取り付け方法も前記に限定されない。即ち、煙突破壊装置７１の各部寸法、必要な間隔Ｇが予めわかっている場合は、図１に示すように組み立てておき、煙突破壊装置７１の上部、或いは下部から被せ、前記同様にネジ１３ａ，１３ｂにより締め付け固定してもよい。
【図面の簡単な説明】
【００２６】
【図１】本発明の実施形態を示す煙突破壊装置のガイドの斜視図である。
【図２】煙突破壊装置へのガイドの取り付け状態を示す側面図である。
【図３】煙突破壊装置へのガイドの取り付け状態を示す他の側面図である。
【図４】ガイドの位置決め作用を示す平面図である。
【図５】位置決め部材の変形例を示す斜視図である。
【図６】連結部材の変形例を示す斜視図である。
【図７】従来の煙突破壊装置の構成を示す一部切り欠き斜視図である。
【符号の説明】
【００２７】
１              煙突破壊装置のガイド
２ａ，２ｂ      基板部
３ａ，３ｂ      位置決め部材
４              調整部材
５              ボルト
６              ナット
７ａ，７ｂ      長孔
８ａ，８ｂ      長孔
９ａ，９ｂ      連結部材
１０ａ，１０ｂ  ネジ
１１ａ，１１ｂ  補強部材
１２ａ，１２ｂ  ボス
１３ａ，１３ｂ  ネジ
１５ａ，１５ｂ  長孔
１７ａ，１７ｂ  板材
７１            煙突破壊装置
７２            煙突
７３ａ，７３ｂ  一対のカッター
【図１】
0004751980.tif 000002
【図２】
0004751980.tif 000003
【図３】
0004751980.tif 000004
【図４】
0004751980.tif 000005
【図５】
0004751980.tif 000006
【図６】
0004751980.tif 000007
【図７】
0004751980.tif 000008